(57)【要約】【課題】電子機器の温度が過度に高くなることを防止しながら、蓄電池の充電中に電子機器の状態を駆動状態に維持することが可能な電子機器を提供すること。【解決手段】電子機器１００は、蓄電池１０１から電力が供給されることにより駆動される。携帯電話端末１００は、蓄電池１０１の端子電圧を検出する。電子機器１００は、電子機器１００の温度を検出する。電子機器１００は、蓄電池１０１の充電中に、検出された温度が予め設定された第１の閾値温度よりも高くなった場合、蓄電池１０１を充電するために外部の電源から供給される電力を抑制する充電抑制制御を行う。電子機器１００は、検出された端子電圧が予め設定された第１の閾値電圧よりも小さい場合、充電抑制制御の実行を延期させる充電抑制延期制御を行う。【選択図】図１
2010136565.tif 000002
【特許請求の範囲】
【請求項１】
蓄電池から電力が供給されることにより駆動されるように構成された電子機器であって、
前記蓄電池の端子電圧を検出する端子電圧検出手段と、
前記電子機器の温度を検出する温度検出手段と、
前記蓄電池の充電中に、前記検出された温度が予め設定された第１の閾値温度よりも高くなった場合、前記蓄電池を充電するために外部の電源から供給される電力を抑制する充電抑制制御を行う充電抑制制御手段と、
前記検出された端子電圧が予め設定された第１の閾値電圧よりも小さい場合、前記充電抑制制御手段による前記充電抑制制御の実行を延期させる充電抑制延期制御を行う充電抑制延期制御手段と、
を備える電子機器。
【請求項２】
請求項１に記載の電子機器であって、
前記充電抑制延期制御手段は、予め設定された温度であって前記第１の閾値温度よりも高い温度である第２の閾値温度よりも、前記検出された温度が高くなった場合、前記充電抑制延期制御を終了することにより前記充電抑制制御手段に前記充電抑制制御を実行させるように構成された電子機器。
【請求項３】
請求項１又は請求項２に記載の電子機器であって、
前記充電抑制延期制御手段は、予め設定された電圧であって前記第１の閾値電圧よりも大きい電圧である第２の閾値電圧よりも、前記検出された端子電圧が大きくなった場合、前記充電抑制延期制御を終了することにより前記充電抑制制御手段に前記充電抑制制御を実行させるように構成された電子機器。
【請求項４】
請求項１乃至請求項３のいずれか一項に記載の電子機器であって、
前記充電抑制延期制御手段は、前記充電抑制延期制御の実行を開始してから経過した時間が予め設定された閾値時間よりも長くなった場合、前記充電抑制延期制御を終了することにより前記充電抑制制御手段に前記充電抑制制御を実行させるように構成された電子機器。
【請求項５】
請求項１乃至請求項４のいずれか一項に記載の電子機器であって、
前記充電抑制制御手段は、前記充電抑制制御の実行中に、前記蓄電池の充電が開始した時点にて前記検出された端子電圧である充電開始時端子電圧よりも小さい端子電圧が前記端子電圧検出手段により検出された場合、当該充電抑制制御を終了するように構成された電子機器。
【請求項６】
請求項１乃至請求項５のいずれか一項に記載の電子機器であって、
前記蓄電池から前記電源へ向けて電力が供給されていることを検出する放電検出手段を備えるとともに、
前記充電抑制制御手段は、前記充電抑制制御の実行中に、前記蓄電池から前記電源へ向けて電力が供給されていることが前記放電検出手段により検出された場合、当該充電抑制制御を終了するように構成された電子機器。
【請求項７】
請求項１乃至請求項６のいずれか一項に記載の電子機器であって、
前記充電抑制制御手段は、前記蓄電池へ供給される電流の大きさを小さくすることにより、当該蓄電池へ供給される電力を抑制する前記充電抑制制御を行うように構成された電子機器。
【請求項８】
請求項１乃至請求項６のいずれか一項に記載の電子機器であって、
前記充電抑制制御手段は、前記蓄電池へ間欠的に電流を供給することにより、当該蓄電池へ供給される電力を抑制する前記充電抑制制御を行うように構成された電子機器。
【請求項９】
請求項１乃至請求項８のいずれか一項に記載の電子機器であって、
前記電子機器は、携帯電話端末である電子機器。
【請求項１０】
蓄電池から電力が供給されることにより駆動されるように構成された電子機器に適用され、当該蓄電池を充電するために外部の電源から供給される電力を制御する電子機器の充電制御方法であって、
前記蓄電池の端子電圧を検出する端子電圧検出工程と、
前記電子機器の温度を検出する温度検出工程と、
前記蓄電池の充電中に、前記検出された温度が予め設定された第１の閾値温度よりも高くなった場合、前記蓄電池へ供給される電力を抑制する充電抑制制御を行う充電抑制制御工程と、
を含むとともに、
前記充電抑制制御工程は、
前記検出された端子電圧が予め設定された第１の閾値電圧よりも小さい場合、前記充電抑制制御の実行を延期させる充電抑制延期制御を行うように構成された電子機器の充電制御方法。
【請求項１１】
請求項１０に記載の電子機器の充電制御方法であって、
前記充電抑制制御工程は、予め設定された温度であって前記第１の閾値温度よりも高い温度である第２の閾値温度よりも、前記検出された温度が高くなった場合、前記充電抑制延期制御を終了することにより前記充電抑制制御を実行するように構成された電子機器の充電制御方法。
【請求項１２】
請求項１０又は請求項１１に記載の電子機器の充電制御方法であって、
前記充電抑制制御工程は、予め設定された電圧であって前記第１の閾値電圧よりも大きい電圧である第２の閾値電圧よりも、前記検出された端子電圧が大きくなった場合、前記充電抑制延期制御を終了することにより前記充電抑制制御を実行するように構成された電子機器の充電制御方法。
【請求項１３】
請求項１０乃至請求項１２のいずれか一項に記載の電子機器の充電制御方法であって、
前記充電抑制制御工程は、前記充電抑制延期制御の実行を開始してから経過した時間が予め設定された閾値時間よりも長くなった場合、前記充電抑制延期制御を終了することにより前記充電抑制制御を実行するように構成された電子機器の充電制御方法。
【請求項１４】
蓄電池から電力が供給されることにより駆動されるように構成された電子機器に、
前記蓄電池の端子電圧を検出する端子電圧検出手段により検出された端子電圧を取得する端子電圧取得手段と、
前記電子機器の温度を検出する温度検出手段により検出された温度を取得する温度取得手段と、
前記蓄電池の充電中に、前記取得された温度が予め設定された第１の閾値温度よりも高くなった場合、前記蓄電池を充電するために外部の電源から供給される電力を抑制する充電抑制制御を行う充電抑制制御手段と、
前記取得された端子電圧が予め設定された第１の閾値電圧よりも小さい場合、前記充電抑制制御手段による前記充電抑制制御の実行を延期させる充電抑制延期制御を行う充電抑制延期制御手段と、
を実現させるための充電制御プログラム。
【請求項１５】
請求項１４に記載の充電制御プログラムであって、
前記充電抑制延期制御手段は、予め設定された温度であって前記第１の閾値温度よりも高い温度である第２の閾値温度よりも、前記取得された温度が高くなった場合、前記充電抑制延期制御を終了することにより前記充電抑制制御手段に前記充電抑制制御を実行させるように構成された充電制御プログラム。
【請求項１６】
請求項１４又は請求項１５に記載の充電制御プログラムであって、
前記充電抑制延期制御手段は、予め設定された電圧であって前記第１の閾値電圧よりも大きい電圧である第２の閾値電圧よりも、前記取得された端子電圧が大きくなった場合、前記充電抑制延期制御を終了することにより前記充電抑制制御手段に前記充電抑制制御を実行させるように構成された充電制御プログラム。
【請求項１７】
請求項１４乃至請求項１６のいずれか一項に記載の充電制御プログラムであって、
前記充電抑制延期制御手段は、前記充電抑制延期制御の実行を開始してから経過した時間が予め設定された閾値時間よりも長くなった場合、前記充電抑制延期制御を終了することにより前記充電抑制制御手段に前記充電抑制制御を実行させるように構成された充電制御プログラム。
【発明の詳細な説明】
【技術分野】
【０００１】
本発明は、蓄電池から電力が供給されることにより駆動されるように構成された電子機器に関する。
【背景技術】
【０００２】
蓄電池から電力が供給されることにより駆動されるように構成された電子機器が知られている。この種の電子機器の一つとして特許文献１に記載の電子機器は、蓄電池の充電中に、電子機器の温度が所定の閾値温度よりも高くなった場合、蓄電池に供給される充電電流の大きさを小さくする充電抑制制御を行う。これにより、電子機器の温度が過度に高くなることを防止することができる。
【特許文献１】特開２００６−１１５６５４号公報
【発明の開示】
【発明が解決しようとする課題】
【０００３】
しかしながら、電子機器を駆動するために消費される電力（消費電力）が比較的大きい状態において、充電抑制制御を行っていると、蓄電池の端子電圧が過度に低下することにより、電子機器の状態を電子機器が駆動されている状態（駆動状態）に維持することができない虞があった。
【０００４】
このため、本発明の目的は、上述した課題である「電子機器の温度が過度に高くなることを防止するとともに、蓄電池の充電中に電子機器の状態を駆動状態に維持することができないこと」を解決することが可能な電子機器を提供することにある。
【課題を解決するための手段】
【０００５】
かかる目的を達成するため本発明の一形態である電子機器は、蓄電池から電力が供給されることにより駆動されるように構成された電子機器である。
【０００６】
更に、この電子機器は、
上記蓄電池の端子電圧を検出する端子電圧検出手段と、
上記電子機器の温度を検出する温度検出手段と、
上記蓄電池の充電中に、上記検出された温度が予め設定された第１の閾値温度よりも高くなった場合、上記蓄電池を充電するために外部の電源から供給される電力を抑制する充電抑制制御を行う充電抑制制御手段と、
上記検出された端子電圧が予め設定された第１の閾値電圧よりも小さい場合、上記充電抑制制御手段による上記充電抑制制御の実行を延期させる充電抑制延期制御を行う充電抑制延期制御手段と、
を備える。
【０００７】
また、本発明の他の形態である電子機器の充電制御方法は、蓄電池から電力が供給されることにより駆動されるように構成された電子機器に適用され、当該蓄電池を充電するために外部の電源から供給される電力を制御する方法である。
【０００８】
更に、この電子機器の充電制御方法は、
上記蓄電池の端子電圧を検出する端子電圧検出工程と、
上記電子機器の温度を検出する温度検出工程と、
上記蓄電池の充電中に、上記検出された温度が予め設定された第１の閾値温度よりも高くなった場合、上記蓄電池へ供給される電力を抑制する充電抑制制御を行う充電抑制制御工程と、
を含む。
【０００９】
更に、上記充電抑制制御工程は、上記検出された端子電圧が予め設定された第１の閾値電圧よりも小さい場合、上記充電抑制制御の実行を延期させる充電抑制延期制御を行うように構成される。
【００１０】
また、本発明の他の形態である充電制御プログラムは、
蓄電池から電力が供給されることにより駆動されるように構成された電子機器に、
上記蓄電池の端子電圧を検出する端子電圧検出手段により検出された端子電圧を取得する端子電圧取得手段と、
上記電子機器の温度を検出する温度検出手段により検出された温度を取得する温度取得手段と、
上記蓄電池の充電中に、上記取得された温度が予め設定された第１の閾値温度よりも高くなった場合、上記蓄電池を充電するために外部の電源から供給される電力を抑制する充電抑制制御を行う充電抑制制御手段と、
上記取得された端子電圧が予め設定された第１の閾値電圧よりも小さい場合、上記充電抑制制御手段による上記充電抑制制御の実行を延期させる充電抑制延期制御を行う充電抑制延期制御手段と、
を実現させるためのプログラムである。
【発明の効果】
【００１１】
本発明は、以上のように構成されることにより、電子機器の温度が過度に高くなることを防止しながら、蓄電池の充電中に電子機器の状態を駆動状態に維持することができる。
【発明を実施するための最良の形態】
【００１２】
本発明の一形態である電子機器は、蓄電池から電力が供給されることにより駆動されるように構成された電子機器である。
【００１３】
更に、この電子機器は、
上記蓄電池の端子電圧を検出する端子電圧検出手段と、
上記電子機器の温度を検出する温度検出手段と、
上記蓄電池の充電中に、上記検出された温度が予め設定された第１の閾値温度よりも高くなった場合、上記蓄電池を充電するために外部の電源から供給される電力を抑制する充電抑制制御を行う充電抑制制御手段と、
上記検出された端子電圧が予め設定された第１の閾値電圧よりも小さい場合、上記充電抑制制御手段による上記充電抑制制御の実行を延期させる充電抑制延期制御を行う充電抑制延期制御手段と、
を備える。
【００１４】
これによれば、電子機器は、電子機器の温度が第１の閾値温度よりも高くなった場合、充電抑制制御を実行する。これにより、電子機器の温度が過度に高くなることを防止することができる。
【００１５】
この場合において、電子機器は、蓄電池の端子電圧が第１の閾値電圧よりも小さいとき、充電抑制制御の実行を延期する。これにより、蓄電池の端子電圧（即ち、蓄電されている電力量）を迅速に増加させることができる。この結果、蓄電池の端子電圧が過度に低下することを防止することができる。従って、電子機器を駆動するために消費される電力（消費電力）が比較的大きい状態においても、電子機器の状態を駆動状態に維持することができる。
【００１６】
このように、上記構成によれば、電子機器の温度が過度に高くなることを防止しながら、蓄電池の充電中に電子機器の状態を駆動状態に維持することができる。
【００１７】
この場合、上記充電抑制延期制御手段は、予め設定された温度であって上記第１の閾値温度よりも高い温度である第２の閾値温度よりも、上記検出された温度が高くなった場合、上記充電抑制延期制御を終了することにより上記充電抑制制御手段に上記充電抑制制御を実行させるように構成されることが好適である。
【００１８】
これによれば、電子機器は、電子機器の温度が第２の閾値温度よりも高くなった場合、充電抑制延期制御を終了することにより充電抑制制御を実行する。これにより、電子機器の温度が過度に高くなることを防止することができる。
【００１９】
この場合、上記充電抑制延期制御手段は、予め設定された電圧であって上記第１の閾値電圧よりも大きい電圧である第２の閾値電圧よりも、上記検出された端子電圧が大きくなった場合、上記充電抑制延期制御を終了することにより上記充電抑制制御手段に上記充電抑制制御を実行させるように構成されることが好適である。
【００２０】
ところで、蓄電池の端子電圧が十分に大きくなった場合には、消費電力が比較的大きい状態においても、電子機器の状態を駆動状態に維持することができる。従って、上記のように、蓄電池の端子電圧が第２の閾値電圧よりも大きくなった場合、充電抑制制御を実行するように電子機器を構成することにより、電子機器の温度が過度に高くなることを防止することができる。
【００２１】
この場合、上記充電抑制延期制御手段は、上記充電抑制延期制御の実行を開始してから経過した時間が予め設定された閾値時間よりも長くなった場合、上記充電抑制延期制御を終了することにより上記充電抑制制御手段に上記充電抑制制御を実行させるように構成されることが好適である。
【００２２】
ところで、充電抑制延期制御の実行を開始してから十分な時間が経過すると、蓄電池の端子電圧が十分に大きくなる。また、蓄電池の端子電圧が十分に大きくなった場合には、消費電力が比較的大きい状態においても、電子機器の状態を駆動状態に維持することができる。従って、上記のように、充電抑制延期制御の実行を開始してから経過した時間が閾値時間よりも長くなった場合、充電抑制制御を実行するように電子機器を構成することにより、電子機器の温度が過度に高くなることを防止することができる。
【００２３】
この場合、上記充電抑制制御手段は、上記充電抑制制御の実行中に、上記蓄電池の充電が開始した時点にて上記検出された端子電圧である充電開始時端子電圧よりも小さい端子電圧が上記端子電圧検出手段により検出された場合、当該充電抑制制御を終了するように構成されることが好適である。
【００２４】
ところで、充電抑制制御の実行中に、蓄電池の端子電圧が減少している場合、その状態が継続することにより、電子機器の状態を駆動状態に維持することができない虞がある。そこで、上記のように、充電抑制制御の実行中に、蓄電池の端子電圧が減少している場合、充電抑制制御を終了するように電子機器を構成することにより、蓄電池の端子電圧を増加させることができる。この結果、電子機器の状態を駆動状態に維持することができる。
【００２５】
この場合、上記電子機器は、
上記蓄電池から上記電源へ向けて電力が供給されていることを検出する放電検出手段を備えるとともに、
上記充電抑制制御手段は、上記充電抑制制御の実行中に、上記蓄電池から上記電源へ向けて電力が供給されていることが上記放電検出手段により検出された場合、当該充電抑制制御を終了するように構成されることが好適である。
【００２６】
ところで、蓄電池から電源へ向けて電力が供給されている場合、蓄電池の端子電圧は減少する。従って、充電抑制制御の実行中に、蓄電池から電源へ向けて電力が供給されている場合、その状態が継続することにより、電子機器の状態を駆動状態に維持することができない虞がある。
【００２７】
そこで、上記のように、充電抑制制御の実行中に、蓄電池から電源へ向けて電力が供給されている場合、充電抑制制御を終了するように電子機器を構成することにより、蓄電池の端子電圧を増加させることができる。この結果、電子機器の状態を駆動状態に維持することができる。
【００２８】
この場合、上記充電抑制制御手段は、上記蓄電池へ供給される電流の大きさを小さくすることにより、当該蓄電池へ供給される電力を抑制する上記充電抑制制御を行うように構成されることが好適である。
【００２９】
また、上記電子機器の他の態様において、
上記充電抑制制御手段は、上記蓄電池へ間欠的に電流を供給することにより、当該蓄電池へ供給される電力を抑制する上記充電抑制制御を行うように構成されることが好適である。
【００３０】
この場合、上記電子機器は、携帯電話端末であることが好適である。
【００３１】
また、本発明の他の形態である電子機器の充電制御方法は、蓄電池から電力が供給されることにより駆動されるように構成された電子機器に適用され、当該蓄電池を充電するために外部の電源から供給される電力を制御する方法である。
【００３２】
更に、この電子機器の充電制御方法は、
上記蓄電池の端子電圧を検出する端子電圧検出工程と、
上記電子機器の温度を検出する温度検出工程と、
上記蓄電池の充電中に、上記検出された温度が予め設定された第１の閾値温度よりも高くなった場合、上記蓄電池へ供給される電力を抑制する充電抑制制御を行う充電抑制制御工程と、
を含む。
【００３３】
更に、上記充電抑制制御工程は、上記検出された端子電圧が予め設定された第１の閾値電圧よりも小さい場合、上記充電抑制制御の実行を延期させる充電抑制延期制御を行うように構成される。
【００３４】
この場合、上記充電抑制制御工程は、予め設定された温度であって上記第１の閾値温度よりも高い温度である第２の閾値温度よりも、上記検出された温度が高くなった場合、上記充電抑制延期制御を終了することにより上記充電抑制制御を実行するように構成されることが好適である。
【００３５】
この場合、上記充電抑制制御工程は、予め設定された電圧であって上記第１の閾値電圧よりも大きい電圧である第２の閾値電圧よりも、上記検出された端子電圧が大きくなった場合、上記充電抑制延期制御を終了することにより上記充電抑制制御を実行するように構成されることが好適である。
【００３６】
この場合、上記充電抑制制御工程は、上記充電抑制延期制御の実行を開始してから経過した時間が予め設定された閾値時間よりも長くなった場合、上記充電抑制延期制御を終了することにより上記充電抑制制御を実行するように構成されることが好適である。
【００３７】
また、本発明の他の形態である充電制御プログラムは、
蓄電池から電力が供給されることにより駆動されるように構成された電子機器に、
上記蓄電池の端子電圧を検出する端子電圧検出手段により検出された端子電圧を取得する端子電圧取得手段と、
上記電子機器の温度を検出する温度検出手段により検出された温度を取得する温度取得手段と、
上記蓄電池の充電中に、上記取得された温度が予め設定された第１の閾値温度よりも高くなった場合、上記蓄電池を充電するために外部の電源から供給される電力を抑制する充電抑制制御を行う充電抑制制御手段と、
上記取得された端子電圧が予め設定された第１の閾値電圧よりも小さい場合、上記充電抑制制御手段による上記充電抑制制御の実行を延期させる充電抑制延期制御を行う充電抑制延期制御手段と、
を実現させるためのプログラムである。
【００３８】
この場合、上記充電抑制延期制御手段は、予め設定された温度であって上記第１の閾値温度よりも高い温度である第２の閾値温度よりも、上記取得された温度が高くなった場合、上記充電抑制延期制御を終了することにより上記充電抑制制御手段に上記充電抑制制御を実行させるように構成されることが好適である。
【００３９】
この場合、上記充電抑制延期制御手段は、予め設定された電圧であって上記第１の閾値電圧よりも大きい電圧である第２の閾値電圧よりも、上記取得された端子電圧が大きくなった場合、上記充電抑制延期制御を終了することにより上記充電抑制制御手段に上記充電抑制制御を実行させるように構成されることが好適である。
【００４０】
この場合、上記充電抑制延期制御手段は、上記充電抑制延期制御の実行を開始してから経過した時間が予め設定された閾値時間よりも長くなった場合、上記充電抑制延期制御を終了することにより上記充電抑制制御手段に上記充電抑制制御を実行させるように構成されることが好適である。
【００４１】
上述した構成を有する、電子機器の充電制御方法、又は、充電制御プログラム、の発明であっても、上記電子機器と同様の作用を有するために、上述した本発明の目的を達成することができる。
【００４２】
以下、本発明に係る、電子機器、電子機器の充電制御方法、及び、充電制御プログラム、の各実施形態について図１〜図６を参照しながら説明する。
【００４３】
＜第１実施形態＞
図１に示したように、第１実施形態に係る電子機器としての携帯電話端末１００は、バッテリ１０１と、接続端子部１０２と、充電電流検出用抵抗（放電検出手段の一部）１０３と、充電制御ＦＥＴ（Ｆｉｅｌｄ  Ｅｆｆｅｃｔ  Ｔｒａｎｓｉｓｔｏｒ）１０４と、充電制御ＩＣ（Ｉｎｔｅｇｒａｔｅｄ  Ｃｉｒｃｕｉｔ）１０５と、ＣＰＵ（Ｃｅｎｔｒａｌ  Ｐｒｏｃｅｓｓｉｎｇ  Ｕｎｉｔ）１０６と、メモリ１０７と、温度センサ（温度検出手段）１０８と、を備える。
【００４４】
バッテリ１０１は、電力が供給されることにより充電される蓄電池（二次電池）である。バッテリ１０１は、携帯電話端末１００に内蔵されている。バッテリ１０１は、接続端子部１０２を介して充電アダプタ１１２と接続されている。
【００４５】
充電アダプタ１１２は、交流電力を供給する外部の電源と接続されている。充電アダプタ１１２は、供給された交流電力を直流電力に変換して出力する。
このような構成により、バッテリ１０１は、充電アダプタ１１２により出力された電力が供給されることにより充電される。
【００４６】
携帯電話端末１００は、バッテリ１０１から電力が供給されることにより駆動されるように構成されている。
【００４７】
充電電流検出用抵抗１０３及び充電制御ＦＥＴ（充電抑制制御手段の一部）１０４は、バッテリ１０１と接続端子部１０２との間に配設されている。
充電電流検出用抵抗１０３は、バッテリ１０１に供給される電流（充電電流）を検出するための素子である。充電制御ＦＥＴ１０４は、充電電流を制御するための素子である。
【００４８】
充電制御ＩＣ１０５は、バッテリ電圧監視回路（端子電圧検出手段）１０５ａと、充電制御回路（充電抑制制御手段の一部）１０５ｂと、充電電流監視回路（放電検出手段の一部）１０５ｃと、外部電圧監視回路１０５ｄと、を含む。
バッテリ電圧監視回路１０５ａは、バッテリ１０１の端子電圧を検出する。
【００４９】
充電制御回路１０５ｂは、ＣＰＵ１０６から連続充電指示を受け付けた場合、充電制御回路１０５ｂの状態を通電制御状態に設定するとともにその状態を維持する。また、充電制御回路１０５ｂは、ＣＰＵ１０６から間欠充電指示を受け付けた場合、所定の周期毎に、充電制御回路１０５ｂの状態を、通電制御状態と遮断制御状態とに交互に切り替える。
【００５０】
充電制御ＦＥＴ１０４は、充電制御回路１０５ｂの状態が遮断制御状態である場合、充電アダプタ１１２とバッテリ１０１との間を電流が流れないように、充電アダプタ１１２とバッテリ１０１とを結ぶ電流路を遮断する。即ち、この場合、充電制御ＦＥＴ１０４は、バッテリ１０１への充電電流の供給を禁止する。
【００５１】
一方、充電制御ＦＥＴ１０４は、充電制御回路１０５ｂの状態が通電制御状態である場合、充電アダプタ１１２とバッテリ１０１との間を電流が流れるように、充電アダプタ１１２とバッテリ１０１とを結ぶ電流路を導通させる。即ち、この場合、充電制御ＦＥＴ１０４は、バッテリ１０１への充電電流の供給を許容する。
【００５２】
充電電流監視回路１０５ｃは、充電電流検出用抵抗１０３による電圧降下を検出することにより、充電電流を検出する。充電電流が正の値であることは、外部の電源からバッテリ１０１へ向けて電流が流れている（電力が供給されている）ことに対応している。充電電流が負の値であることは、バッテリ１０１から外部の電源へ向けて電流が流れていることに対応している。即ち、充電電流監視回路１０５ｃは、バッテリ１０１から外部の電源へ向けて電力が供給されていることを検出する、と言うことができる。
外部電圧監視回路１０５ｄは、充電アダプタ１１２の電圧を検出する。
【００５３】
温度センサ１０８は、携帯電話端末１００の温度（本例では、携帯電話端末１００が有する筐体の内部の温度）を検出するセンサである。
【００５４】
ＣＰＵ１０６は、メモリ１０７に記憶されている充電制御プログラム等を実行することにより、充電電流を制御する。
【００５５】
次に、上述した携帯電話端末１００の作動について具体的に述べる。
携帯電話端末１００のＣＰＵ１０６は、所定のバッテリ電圧取得周期が経過する毎に、バッテリ電圧監視回路１０５ａにより検出された端子電圧を取得する（端子電圧取得手段、端子電圧検出工程）。
また、ＣＰＵ１０６は、所定の温度取得周期が経過する毎に、温度センサ１０８により検出された温度を取得する（温度取得手段、温度検出工程）。
【００５６】
更に、ＣＰＵ１０６は、図２にフローチャートにより示した充電制御プログラムを、バッテリ１０１の充電が開始すると実行するようになっている。なお、図２の充電制御プログラムの処理が実行されることは、充電抑制制御手段の機能の一部、充電抑制制御工程の機能、及び、充電抑制延期制御手段の機能が達成されることに対応している。
【００５７】
具体的に述べると、ＣＰＵ１０６は、充電制御プログラムの処理を開始すると、ステップ２０５にて、その時点にて取得された端子電圧を充電開始時端子電圧としてメモリ１０７に記憶させる。充電開始時端子電圧は、バッテリ１０１の充電が開始した時点にて検出された端子電圧である。
【００５８】
次いで、ＣＰＵ１０６は、ステップ２１０にて、連続充電指示を充電制御ＩＣ１０５へ出力する。
これにより、充電制御回路１０５ｂは、充電制御回路１０５ｂの状態を通電制御状態に設定するとともに、その状態を維持する。その結果、充電制御ＦＥＴ１０４は、充電アダプタ１１２とバッテリ１０１との間を電流が流れるように、充電アダプタ１１２とバッテリ１０１とを結ぶ電流路を導通させる。これにより、外部の電源からバッテリ１０１へ、所定の大きさ（本例では、６００ｍＡ）の電流（充電電流）が連続的に供給される。
【００５９】
次いで、ＣＰＵ１０６は、ステップ２１５にて、取得された温度が第１の閾値温度よりも高くなるまで待機する。第１の閾値温度は、予めメモリ１０７に記憶されている。
【００６０】
いま、消費電力が比較的大きいアプリケーションプログラム（例えば、テレビ電話を行うためのプログラム等）が起動されることにより、携帯電話端末１００の温度が第１の閾値温度よりも高くなった場合を想定して説明を続ける。
【００６１】
この場合、ＣＰＵ１０６は、「Ｙｅｓ」と判定してステップ２２０に進み、その時点にて取得された端子電圧が予め設定された第１の閾値電圧よりも小さいか否かを判定する。第１の閾値電圧は、予めメモリ１０７に記憶されている。
いま、バッテリ１０１の端子電圧が第１の閾値電圧よりも小さい場合を想定して説明を続ける。
【００６２】
この場合、ＣＰＵ１０６は、「Ｙｅｓ」と判定してステップ２２５へ進み、取得された温度が第２の閾値温度よりも高くなるまで待機する。即ち、携帯電話端末１００の温度が第２の閾値温度よりも高くなるまで、充電電流はバッテリ１０１へ連続的に供給され続ける。第２の閾値温度は、第１の閾値温度よりも高い温度であり、予めメモリ１０７に記憶されている。
【００６３】
このようにして、携帯電話端末１００は、検出された端子電圧が第１の閾値電圧よりも小さい場合、外部の電源から供給される電力を抑制する充電抑制制御の実行を延期させる充電抑制延期制御を行う。
【００６４】
そして、携帯電話端末１００の温度が第２の閾値温度よりも高くなると、ＣＰＵ１０６は、「Ｙｅｓ」と判定してステップ２３０へ進み、間欠充電指示を充電制御ＩＣ１０５へ出力する。
【００６５】
これにより、充電制御回路１０５ｂは、所定の周期毎に、充電制御回路１０５ｂの状態を、通電制御状態と遮断制御状態とに交互に切り替える。その結果、充電制御ＦＥＴ１０４は、上記周期毎に、バッテリ１０１への充電電流の供給を禁止する状態と、バッテリ１０１への充電電流の供給を許容する状態と、を交互に切り替える。これにより、外部の電源からバッテリ１０１へ、充電電流が間欠的に供給される。即ち、外部の電源からバッテリ１０１へ供給される電力が抑制される。
【００６６】
このようにして、携帯電話端末１００は、検出された温度が第２の閾値温度よりも高くなった場合、充電抑制延期制御を終了することにより充電抑制制御を実行する。
これにより、携帯電話端末１００の温度が過度に高くなることを防止することができる。
【００６７】
そして、ＣＰＵ１０６は、ステップ２３５にて、取得された端子電圧がメモリ１０７に記憶されている充電開始時端子電圧よりも小さいか否かを判定する。そして、ＣＰＵ１０６は、取得された端子電圧がメモリ１０７に記憶されている充電開始時端子電圧よりも小さくなった場合、「Ｙｅｓ」と判定してステップ２４０に進み、連続充電指示を充電制御ＩＣ１０５へ出力する。
【００６８】
これにより、充電制御回路１０５ｂは、充電制御回路１０５ｂの状態を通電制御状態に設定するとともに、その状態を維持する。その結果、充電制御ＦＥＴ１０４は、充電アダプタ１１２とバッテリ１０１との間を電流が流れるように、充電アダプタ１１２とバッテリ１０１とを結ぶ電流路を導通させる。これにより、外部の電源からバッテリ１０１へ、充電電流が連続的に供給される。
【００６９】
このように、携帯電話端末１００は、充電抑制制御の実行中に、バッテリ１０１の充電が開始した時点にて検出された端子電圧である充電開始時端子電圧よりも小さい端子電圧が検出された場合、当該充電抑制制御を終了する。
【００７０】
ところで、充電抑制制御の実行中に、バッテリ１０１の端子電圧が減少している場合、その状態が継続することにより、携帯電話端末１００の状態を駆動状態に維持することができない虞がある。そこで、この携帯電話端末１００は、充電抑制制御の実行中に、バッテリ１０１の端子電圧が減少している場合、充電抑制制御を終了する。これにより、バッテリ１０１の端子電圧を増加させることができる。この結果、携帯電話端末１００の状態を駆動状態に維持することができる。
【００７１】
次いで、ＣＰＵ１０６は、ステップ２１５へ戻り、ステップ２１５〜ステップ２４０の処理を繰り返し実行する。
【００７２】
なお、ＣＰＵ１０６がステップ２２０に進んだとき、バッテリ１０１の端子電圧が第１の閾値電圧よりも大きい場合、ＣＰＵ１０６は、「Ｎｏ」と判定して、ステップ２２５の処理を実行することなくステップ２３０へ進み、以降の処理を実行する。
【００７３】
また、ＣＰＵ１０６がステップ２３５に進んだとき、取得された端子電圧がメモリ１０７に記憶されている充電開始時端子電圧よりも大きい場合、ＣＰＵ１０６は、「Ｎｏ」と判定して待機する。
【００７４】
以上、説明したように、本発明による電子機器の第１実施形態によれば、電子機器としての携帯電話端末１００は、携帯電話端末１００の温度が第１の閾値温度よりも高くなった場合、充電抑制制御を実行する。これにより、携帯電話端末１００の温度が過度に高くなることを防止することができる。
【００７５】
この場合において、携帯電話端末１００は、バッテリ１０１の端子電圧が第１の閾値電圧よりも小さいとき、充電抑制制御の実行を延期する。これにより、バッテリ１０１の端子電圧（即ち、蓄電されている電力量）を迅速に増加させることができる。この結果、バッテリ１０１の端子電圧が過度に低下することを防止することができる。従って、携帯電話端末１００を駆動するために消費される電力（消費電力）が比較的大きい状態においても、携帯電話端末１００の状態を駆動状態に維持することができる。
【００７６】
このように、上記構成によれば、携帯電話端末１００の温度が過度に高くなることを防止しながら、バッテリ１０１の充電中に携帯電話端末１００の状態を駆動状態に維持することができる。
【００７７】
なお、上記第１実施形態は、バッテリ１０１へ間欠的に電流を供給することにより、バッテリ１０１へ供給される電力を抑制するように構成されていたが、バッテリ１０１へ供給される電流（充電電流）の大きさを小さくする（例えば、充電電流の大きさを６００ｍＡから３００ｍＡへ変更する）ことにより、バッテリ１０１へ供給される電力を抑制するように構成されていてもよい。
【００７８】
＜第１変形例＞
次に、本発明の第１実施形態の第１変形例に係る携帯電話端末について説明する。第１変形例に係る携帯電話端末は、上記第１実施形態に係る携帯電話端末に対して、充電抑制制御の実行中に、バッテリ１０１から外部の電源へ向けて電力が供給されていることが検出された場合、その充電抑制制御を終了するように構成されている点において相違している。従って、以下、かかる相違点を中心として説明する。
【００７９】
この第１変形例に係る携帯電話端末１００のＣＰＵ１０６は、所定の充電電流取得周期が経過する毎に、充電電流監視回路１０５ｃにより検出された充電電流を取得する。
更に、ＣＰＵ１０６は、図２に示した充電制御プログラムに代えて、図３に示した充電制御プログラムを実行する。この充電制御プログラムは、図２の充電制御プログラムのステップ２３５をステップ３３５に置換したプログラムである。
【００８０】
ＣＰＵ１０６は、ステップ３３５に進んだとき、検出された充電電流が負の値であるか否かを判定する。充電電流が負の値であることは、バッテリ１０１から外部の電源へ向けて電流が流れている（電力が供給されている）ことに対応している。
【００８１】
そして、ＣＰＵ１０６は、検出された充電電流が負の値である場合、「Ｙｅｓ」と判定してステップ２４０へ進み、上述した場合と同様に、連続充電指示を充電制御ＩＣ１０５へ出力する。
【００８２】
このように、携帯電話端末１００は、充電抑制制御の実行中に、バッテリ１０１から外部の電源へ向けて電力が供給されていることが検出された場合、当該充電抑制制御を終了する。
【００８３】
ところで、バッテリ１０１から電源へ向けて電力が供給されている場合、バッテリ１０１の端子電圧は減少する。従って、充電抑制制御の実行中に、バッテリ１０１から電源へ向けて電力が供給されている場合、その状態が継続することにより、携帯電話端末１００の状態を駆動状態に維持することができない虞がある。
【００８４】
そこで、携帯電話端末１００は、充電抑制制御の実行中に、バッテリ１０１から電源へ向けて電力が供給されている場合、充電抑制制御を終了する。これにより、バッテリ１０１の端子電圧を増加させることができる。この結果、携帯電話端末１００の状態を駆動状態に維持することができる。
【００８５】
＜第２実施形態＞
次に、本発明の第２実施形態に係る携帯電話端末について説明する。第２実施形態に係る携帯電話端末は、上記第１実施形態に係る携帯電話端末に対して、検出された端子電圧が十分に大きくなった場合、充電抑制延期制御を終了するように構成されている点において相違している。従って、以下、かかる相違点を中心として説明する。
【００８６】
この第２実施形態に係る携帯電話端末１００のＣＰＵ１０６は、図２に示した充電制御プログラムに代えて、図４に示した充電制御プログラムを実行する。この充電制御プログラムは、図２の充電制御プログラムのステップ２２５をステップ４２５に置換したプログラムである。
【００８７】
ＣＰＵ１０６は、ステップ４２５へ進んだとき、取得された端子電圧が第２の閾値電圧よりも大きくなるまで待機する。即ち、バッテリ１０１の端子電圧が第２の閾値電圧よりも大きくなるまで、充電電流はバッテリ１０１へ連続的に供給され続ける。第２の閾値電圧は、第１の閾値電圧よりも大きい電圧であり、予めメモリ１０７に記憶されている。
【００８８】
このようにして、携帯電話端末１００は、検出された端子電圧が第１の閾値電圧よりも小さい場合において、端子電圧が第２の閾値電圧よりも大きくなるまでの間、外部の電源から供給される電力を抑制する充電抑制制御の実行を延期させる充電抑制延期制御を行う。
【００８９】
ところで、バッテリ１０１の端子電圧が十分に大きくなった場合には、消費電力が比較的大きい状態においても、携帯電話端末１００の状態を駆動状態に維持することができる。従って、このように、バッテリ１０１の端子電圧が第２の閾値電圧よりも大きくなった場合、充電抑制制御を実行するように携帯電話端末１００を構成することにより、携帯電話端末１００の温度が過度に高くなることを防止することができる。
【００９０】
＜第３実施形態＞
次に、本発明の第３実施形態に係る携帯電話端末について説明する。第３実施形態に係る携帯電話端末は、上記第１実施形態に係る携帯電話端末に対して、充電抑制延期制御の実行を開始してから経過した時間が十分に長くなった場合、充電抑制延期制御を終了するように構成されている点において相違している。従って、以下、かかる相違点を中心として説明する。
【００９１】
この第３実施形態に係る携帯電話端末１００のＣＰＵ１０６は、図２に示した充電制御プログラムに代えて、図５に示した充電制御プログラムを実行する。この充電制御プログラムは、図２の充電制御プログラムのステップ２２５をステップ５２５に置換したプログラムである。
【００９２】
ＣＰＵ１０６は、ステップ５２５へ進んだとき、充電抑制延期制御の実行を開始してから経過した経過時間が、予め設定された閾値時間よりも長くなるまで待機する。即ち、経過時間が閾値時間よりも長くなるまで、充電電流はバッテリ１０１へ連続的に供給され続ける。閾値時間は、予めメモリ１０７に記憶されている。
【００９３】
このようにして、携帯電話端末１００は、検出された端子電圧が第１の閾値電圧よりも小さい場合において、経過時間が閾値時間よりも長くなるまでの間、外部の電源から供給される電力を抑制する充電抑制制御の実行を延期させる充電抑制延期制御を行う。
【００９４】
ところで、充電抑制延期制御の実行を開始してから十分な時間が経過すると、バッテリ１０１の端子電圧が十分に大きくなる。また、バッテリ１０１の端子電圧が十分に大きくなった場合には、消費電力が比較的大きい状態においても、携帯電話端末１００の状態を駆動状態に維持することができる。従って、このように、充電抑制延期制御の実行を開始してから経過した時間が閾値時間よりも長くなった場合、充電抑制制御を実行するように携帯電話端末１００を構成することにより、携帯電話端末１００の温度が過度に高くなることを防止することができる。
【００９５】
＜第４実施形態＞
次に、本発明の第４実施形態に係る携帯電話端末について説明する。第４実施形態に係る携帯電話端末は、上記第１実施形態に係る携帯電話端末に対して、充電抑制延期制御の実行を開始してから経過した時間が十分に長くなった場合、又は、検出された温度が第２の閾値温度よりも高くなった場合、充電抑制延期制御を終了するように構成されている点において相違している。従って、以下、かかる相違点を中心として説明する。
【００９６】
この第４実施形態に係る携帯電話端末１００のＣＰＵ１０６は、図２に示した充電制御プログラムに代えて、図６に示した充電制御プログラムを実行する。この充電制御プログラムは、図２の充電制御プログラムのステップ２２５をステップ６２５に置換したプログラムである。
【００９７】
ＣＰＵ１０６は、ステップ６２５へ進んだとき、充電抑制延期制御の実行を開始してから経過した経過時間が閾値時間よりも長くなるまで、又は、取得された温度が第２の閾値温度よりも高くなるまで、待機する。即ち、経過時間が閾値時間よりも長くなる時点、及び、取得された温度が第２の閾値温度よりも高くなる時点のうちの早い方の時点まで、充電電流はバッテリ１０１へ連続的に供給され続ける。
【００９８】
このようにして、携帯電話端末１００は、検出された端子電圧が第１の閾値電圧よりも小さい場合において、経過時間が閾値時間よりも長くなる時点、及び、取得された温度が第２の閾値温度よりも高くなる時点のうちの早い方の時点までの間、外部の電源から供給される電力を抑制する充電抑制制御の実行を延期させる充電抑制延期制御を行う。
【００９９】
この第４実施形態によっても、上記第１実施形態及び第３実施形態と同様の作用及び効果を奏することができる。
【０１００】
なお、本発明は上記各実施形態に限定されることはなく、本発明の範囲内において種々の変形例を採用することができる。例えば、上記各実施形態の変形例において、充電開始時端子電圧毎に異なる、第１の閾値温度及び／又は第１の閾値電圧が設定されていてもよい。
【０１０１】
また、上記各実施形態においては、電子機器は、携帯電話端末であったが、ＰＤＡ（Ｐｅｒｓｏｎａｌ  Ｄａｔａ  Ａｓｓｉｓｔａｎｃｅ）、スマートフォン、ＰＨＳ（Ｐｅｒｓｏｎａｌ  Ｈａｎｄｙｐｈｏｎｅ  Ｓｙｓｔｅｍ）、ゲーム機、カーナビゲーション装置、又は、ラップトップ型コンピュータ等であってもよい。
【０１０２】
また、上記実施形態の他の変形例として、上述した実施形態及び変形例の任意の組み合わせが採用されてもよい。
【産業上の利用可能性】
【０１０３】
本発明は、蓄電池を備える携帯電話端末等に適用可能である。
【図面の簡単な説明】
【０１０４】
【図１】本発明の第１実施形態に係る携帯電話端末の概略構成を表す図である。
【図２】図１に示した携帯電話端末のＣＰＵが実行する充電制御プログラムを示したフローチャートである。
【図３】本発明の第１実施形態の第１変形例に係る携帯電話端末のＣＰＵが実行する充電制御プログラムを示したフローチャートである。
【図４】本発明の第２実施形態に係る携帯電話端末のＣＰＵが実行する充電制御プログラムを示したフローチャートである。
【図５】本発明の第３実施形態に係る携帯電話端末のＣＰＵが実行する充電制御プログラムを示したフローチャートである。
【図６】本発明の第４実施形態に係る携帯電話端末のＣＰＵが実行する充電制御プログラムを示したフローチャートである。
【符号の説明】
【０１０５】
１００    携帯電話端末
１０１    バッテリ
１０２    接続端子部
１０３    充電電流検出用抵抗
１０４    充電制御ＦＥＴ
１０５    充電制御ＩＣ
１０５ａ  バッテリ電圧監視回路
１０５ｂ  充電制御回路
１０５ｃ  充電電流監視回路
１０５ｄ  外部電圧監視回路
１０６    ＣＰＵ
１０７    メモリ
１０８    温度センサ
１１２    充電アダプタ
【図１】
2010136565.tif 000003
【図２】
2010136565.tif 000004
【図３】
2010136565.tif 000005
【図４】
2010136565.tif 000006
【図５】
2010136565.tif 000007
【図６】
2010136565.tif 000008